(57)【要約】      （修正有）【課題】災害時に必要な荷物を迅速に持ち出すことができるだけでなく、スペース効率を向上させることができるトイレットペーパーを提供する。【解決手段】中芯部２と、紙部３と、防災シート４と、包装部５とを備える。中芯部２は、紙製であって、円筒状に形成されている。中芯部２の外周面には、紙部３が巻かれている。紙部３は、中芯部２の外周面に複数回巻かれており円筒状になっている。紙部３の両端面は、中芯部２の長さ方向Ａの両端の端部２２と面一になっている。紙部３の外方には、包装部５が設けられている。また、中芯部２の筒穴には、防災シート４が設けられている。防災シート４は、緊急時に身を守るために保温性を有するシートであり、保温の他にも種々の用途で利用されるものである。この防災シート４は、展開状態で矩形シート状に形成されており、折りたたまれて中芯部２の筒穴に入れられている。【選択図】図１
0003222357.tif 000002
【実用新案登録請求の範囲】
【請求項１】
筒状の中芯部と、
前記中芯部に巻かれた紙部と、
前記中芯部に設けられた防災用品と
を備えるトイレットペーパー。
【請求項２】
前記紙部の外周部を覆う包装部を備え、
前記防災用品が、前記中芯部の端部よりも内方に設けられ、
前記包装部の一部が、前記中芯部の端部に入れられている請求項１に記載のトイレットペーパー。
【請求項３】
前記包装部の外周面に、前記中芯部に設けられた前記防災用品を示す指示部が設けられている請求項２に記載のトイレットペーパー。
【請求項４】
前記防災用品が防災シートであり、
前記防災シートが折りたたまれて前記中芯部に設けられており、
前記折りたたまれた防災シートの端部が、内側に折り返された折り返し部である請求項１から請求項３のいずれか一項に記載のトイレットペーパー。
【請求項５】
前記防災用品が防災シートであり、
前記防災シートが巻回されて前記中芯部に設けられている請求項１から請求項４のいずれか一項に記載のトイレットペーパー。
【請求項６】
前記防災シートが、螺旋状に巻回されている請求項５に記載のトイレットペーパー。
【請求項７】
前記防災シートの巻回された中心部が、外側に突出している突出部とされている請求項５または請求項６に記載のトイレットペーパー。
【考案の詳細な説明】
【技術分野】
【０００１】
本考案は、トイレットペーパーに関する。
【背景技術】
【０００２】
従来、トイレなどで利用されるトイレットペーパーが知られている。このトイレットペーパーは、昨今ではトイレだけでなく屋内や屋外など様々な場面や用途で利用され、例えば災害時においても利用されるようになっている。
このようなトイレットペーパーとして、中芯部に紙がロール状に巻かれたものが知られている（例えば、特許文献１）。
【先行技術文献】
【特許文献】
【０００３】
【特許文献１】特開２０１７−５６２１０号公報
【考案の概要】
【考案が解決しようとする課題】
【０００４】
しかしながら、上記のようなトイレットペーパーでは、保管スペースが増えてしまうだけでなく、災害時など緊急事態が生じたときに、持っていくべき荷物が増え収容スペースが増えてしまうという問題がある。
【０００５】
本考案は、このような問題を解決するためになされたものであり、災害時に必要な荷物を迅速に持ち出すことができるだけでなく、スペース効率を向上させることができるトイレットペーパーを提供することを目的とする。
【課題を解決するための手段】
【０００６】
上記課題を解決するために、以下の手段を提供する。
本願に記載するトイレットペーパーは、筒状の中芯部と、前記中芯部に巻かれた紙部と、前記中芯部に設けられた防災用品とを備える。
【考案の効果】
【０００７】
本願の一観点によれば、災害時に必要な荷物を迅速に持ち出すことができるだけでなく、スペース効率を向上させることができる。
【図面の簡単な説明】
【０００８】
【図１】本考案の第１の実施形態としてのトイレットペーパーを示す斜視図である。
【図２】図１の包装部を取り外した様子を示す斜視図である。
【図３】図１の防災シートの折りたたみのプロセスを示す図であって、（ａ）は防災シートが展開された様子を示す平面図、（ｂ）は（ａ）の防災シートが複数回折り曲げられた様子を示す平面図、（ｃ）は（ｂ）の防災シートが中央線に沿って折り曲げられた様子を示す説明図、（ｄ）は（ｃ）の防災シートが巻回された様子を示す斜視図である。
【図４】防災シートが折り曲げられたときの段差片部の様子を示す説明図である。
【図５】本考案の第２の実施形態としてのトイレットペーパーを示す斜視図である。
【図６】図５の防災シートの折りたたみのプロセスを示す図であって、（ａ）は展開された防災シートが複数回折り曲げられた様子を示す平面図、（ｂ）は（ａ）の防災シートが巻回された様子を示す斜視図である。
【図７】防災シートの変形例の折りたたみのプロセスを示す図であって、（ａ）は展開された防災シートが複数回折り曲げられた様子を示す平面図、（ｂ）は（ａ）の防災シートが螺旋状に巻回された様子を示す斜視図である。
【考案を実施するための形態】
【０００９】
（実施形態１）
以下、本考案の第１の実施形態におけるトイレットペーパーについて説明する。
図１および図２は、トイレットペーパー１を示す斜視図である。
トイレットペーパー１は、中芯部２と、紙部３と、防災シート４と、包装部５とを備えている。
なお、符号Ａは、中芯部２の長さ方向を示すものである。
中芯部２は、紙製であって、円筒状に形成されている。中芯部２の外周面には、紙部３が巻かれている。
紙部３は、中芯部２の外周面に複数回巻かれており円筒状になっている。紙部３の両端面は、中芯部２の長さ方向Ａの両端の端部２２と面一になっている。紙部３の外方には、包装部５が設けられている。
【００１０】
包装部５は、紙部３の外周面と両端面とにわたって全体を覆っている。また、包装部５は、その一部が中芯部２の両端部の空洞部２１にそれぞれ入れられて中芯部２および紙部３に着脱可能に取り付けられている。この包装部５は、保管時には中芯部２および紙部３に取り付けられた状態であり、紙部３の使用時には、取り外されるようになっている。
包装部５の外表面には、表示部５１および指示部５２が設けられている。
表示部５１は、品名、ブランド名、会社名、ロゴなどの文字や線図などの他、「粗品」、「御祝」、「賞品」などの文字が印刷されて表示される領域である。
指示部５２は、中芯部２の筒穴に入れられた防災用品の内容物が示された領域である。すなわち、指示部５２には、中芯部２の筒穴に入れられた防災用品を示す名称や線図などが印刷されて表示されており、例えば、「内容物  防災シート」などの文字が印刷されている。
【００１１】
また、中芯部２の筒穴には、防災シート４が設けられている。
防災シート４は、緊急時に身を守るために保温性を有するシートであり、保温の他にも種々の用途で利用されるものである。この防災シート４は、展開状態で矩形シート状に形成されており、折りたたまれて中芯部２の筒穴に入れられている。
ここで、防災シート４が折りたたまれて中芯部２に設けられるプロセスについて、図３等を参照して説明する。
なお、図３において、符号Ｗは、防災シート４の展開時の幅方向を示すものであり、符号Ｈは、展開時の高さ方向を示すものである。
【００１２】
まず、図３（ａ）に示すように、防災シート４が展開される。このとき、防災シート４は矩形状になる。この展開された防災シート４を縦横の中央線に沿って折り曲げていく。そして、図３（ｂ）に示すように、高さ方向Ｈの両端辺を内側に互いに折り返す。この折り返した部分が折り返し部４１ａとなる。そして、折りたたまれた防災シート４の高さ方向Ｈの両端部が折り返し部４１ａとなった状態で、高さ方向Ｈの中央において幅方向Ｗに延びる中央線Ｌに沿って防災シート４を内側に折り曲げる。そうすると、図３（ｃ）に示すように、互いの折り返し部４１ａ同士が揃えられこれらがまとめて新たな折り返し部４１となる。また、中央線Ｌに沿って折り返された山の部分も新たに折り返し部４１となる。すなわち、折り曲げられた防災シートの高さ方向Ｈの両端部が折り返し部４１となる。この折り返し部４１は、図２に示すように、防災シート４が中芯部２に設けられるときの長さ方向Ａの両端に配される部分となるものである。
【００１３】
さらに、折り曲げられた防災シート４の幅方向Ｗの一端部を幅方向Ｗの他端部に向けて巻回していく。符号Ｒは、巻回方向を示すものである。
そして、折りたたまれた防災シート４の一端部を巻回方向Ｒに巻回していくと、図３（ｄ）に示すように、防災シート４は円柱状に巻回され、最終的に折りたたまれた防災シート４となる。最終的に折りたたまれた防災シート４とは、中芯部２に設けられる状態にまで折りたたまれた状態をいう。最終的に折りたたまれた防災シート４の高さ寸法ｈ１は、中芯部２の長さ寸法ａ１よりも小さくなる。また、最終的に折りたたまれた防災シート４の高さ方向Ｈの両端部は、折り返し部４１となる。この最終的に折りたたまれた防災シート４が、図２に示すように、高さ方向Ｈと長さ方向Ａとが一致する方向に向けられて中芯部２に挿入されていく。そして、最終的に折りたたまれた防災シート４は、中芯部２の中央部にまで押し込まれる。このとき、最終的に折りたたまれた防災シート４の高さ寸法ｈ１は、中芯部２の長さ寸法ａ１よりも小さくなっていることから、中芯部２の長さ方向Ａの両端部は、空洞部２１となる。
このようにして、防災シート４が中芯部２に設けられる。
【００１４】
このトイレットペーパー１は、例えば、各家庭において防災用として保管される。災害発生時には、このトイレットペーパー１が保管場所から速やかに取り出されて使用者に携行される。そして、使用者は、避難場所等において、トイレなどで使用する場合には、包装部５を取り外して、紙部３を巻き出して使用する。また、防災シート４を使用するときには、使用者は、指示部５２を目視し、中芯部２の内容物を認識して、包装部５を取り外す。そして、使用者は、中芯部２の空洞部２１に指を入れて、折り返し部４１をつまんで防災シート４を引っ張り出していく。さらに、使用者は、引っ張り出した防災シート４を広げて身体に巻く等して保温する。
【００１５】
以上より、本実施形態におけるトイレットペーパー１によれば、中芯部２の筒穴に防災シート４が設けられていることから、トイレットペーパー１と防災シート４とを別個に保管したり持ち出したりすることなく、一体的に保管でき持ち出すことができる。
そのため、災害時に必要な荷物を迅速に持ち出すことができるだけでなく、スペース効率を向上させることができる。
また、例えばトイレットペーパー１が粗品として提供される場合、生活必需品としてのトイレットペーパー１と、防災用としての防災シート４とが一体的に設けられているため、受け取る側は必要なものとして受け取りやすくなり、提供する側も提供しやすくなる。
【００１６】
また、防災シート４が、中芯部２の端部２２よりも内方に設けられていることから、防災シート４を中長期にわたって保持することができるだけでなく、端部２２の空洞部２１に包装部５の一部を入れることにより包装部５を容易に取り付けることができる。
また、指示部５２が設けられていることから、外方から目視により中芯部２の内容物を認識することができ、災害時において迅速に持ち出すことができる。
【００１７】
また、最終的に折りたたまれた防災シート４の高さ方向Ｈの両端部が折り返し部４１であることから、災害時に使用者が指でつまんで引っ張り出すときに、防災シート４の破損を防止することができる。すなわち、図４に示すように、折り曲げられた防災シート４の端部が折り返し部４１とされておらず、防災シート４の展開状態の端辺部が当該端部に複数配されていると、それら端辺部が位置ズレにより、段差片部４２ａ，４２ｂ，４２ｃとなってしまう。この状態で防災シートを巻回方向Ｒに巻いていくと、中芯部２に入れたときに段差片部４２ａ，４２ｂ，４２ｃが両端部に配されるため、使用者はこれら段差片部４２ａ，４２ｂ，４２ｃの一片をつまんで引っ張り出そうとする。そうすると、各段差片部４２ａ，４２ｂ，４２ｃの耐性は、複数枚が折り返された折り返し部４１よりも弱いことから、引っ張り出される段差片部４２ａ，４２ｂ，４２ｃ一片が破損してしまう。本実施形態におけるトイレットペーパー１によれば、折り返し部４１によって防災シート４の破損を防止することができる。
また、防災シート４が巻回されていることから、折りたたみやすく中芯部２の筒穴に挿入しやすくすることができるだけでなく、使用時に防災シート４を展開しやすくすることができる。
【００１８】
（実施形態２）
次に、本発明の第２の実施形態について説明する。
図５および図６は、本発明の第２の実施形態におけるトイレットペーパー１ａを示したものである。なお、図５においては、包装部５を省略していることは言うまでもない。
図５および図６において、図１から図４に記載の構成要素と同一部分については同一符号を付し、その説明を省略する。
この実施形態と上記第１の実施形態とは基本的構成は同一であり、ここでは主として異なる点について説明する。
本実施形態においては、中芯部２に入れられた防災シート４の端部に、当該端部から突出する突出部４３が設けられている。
すなわち、防災シート４の巻回された中心部が、長さ方向Ａ（高さ方向Ｈ）に突出した突出部４３となっている。
【００１９】
ここで、防災シート４が折りたたまれて中芯部２に設けられるプロセスについて説明する。
矩形状に展開された防災シート４を折り曲げていき、図６（ａ）に示すように、幅方向Ｗの一端部のうち下方の隅部４３ａを、対向する折り返し部４１から高さ方向Ｈに突出するように折り返す。下方の隅部４３ａが折り返されて折り返し部４１から突出した部分が突出部４３となる。
そして、防災シート４の一端部を巻回方向Ｒに巻回していくと、図６（ｂ）に示すように、最終的に折りたたまれた防災シート４の高さ方向Ｈの端部から突出部４３が突出した状態となる。この状態から、最終的に折りたたまれた防災シート４を中芯部２に挿入すると、図５に示すように、突出部４３が中芯部２の内部において、防災シート４の端部から突出した状態となる。
この状態から、使用者は、防災シート４を使用するときに、突出部４３を指でつまんで、防災シート４を引っ張り出す。
【００２０】
以上より、本実施形態におけるトイレットペーパー１によれば、防災シート４の端部に突出部４３が設けられていることから、使用時に突出部４３を指でつまむことができ、防災シート４を引っ張り出しやすくすることができる。
【００２１】
なお、本考案の技術範囲は上記の実施形態に限定されるものではなく、本考案の趣旨を逸脱しない範囲において、種々の変更を加えることが可能である。
例えば、トイレットペーパー１，１ａが包装部５を備えるとしたが、これに限ることはなく、包装部５が設けられていなくてもよい。
また、防災シート４が中芯部２の両端部よりも内方に設けられているとしたが、これに限ることはなく、防災シート４が中芯部２の少なくともいずれか一方の端部まで延ばされていてもよいし、当該端部から突出していてもよい。防災シート４が当該端部から突出していると、この突出している部分をつまむことができるため、防災シート４を引っ張り出しやすくすることができる。
また、包装部５の一部が、中芯部２の両端に入れられるとしたが、これに限ることはなく、少なくともいずれか一方の端部に入れられていればよい。また、包装部５の一部が中芯部２の両端に入れられていなくてもよい。例えば、包装部５が袋状になっていたり、紙部３の端面においてシールなどによって封止されていたりしてもよい。
【００２２】
また、包装部５に指示部５２が設けられるとしたが、これに限ることはなく、指示部５２が設けられていなくてもよい。
また、表示部５１および指示部５２が印刷されているとしたが、これに限ることはなく、適宜変更可能である。例えば、シールなどで貼付されていてもよい。
また、最終的に折りたたまれた防災シート４の両端部が折り返し部４１とされているが、これに限ることはなく、折り返し部４１でなくてもよい。例えば、最終的に折りたたまれた防災シート４の少なくともいずれか一方の端部が折り返し部４１とされていてもよいし、両端部が折り返し部４１でなくてもよい。
また、防災シート４が巻回されているとしたが、これに限ることはなく、折りたたみ方は適宜変更可能である。例えば、巻回されずに単に折り曲げられていてもよい。
また、防災シート４の端部が突出部４３とされているが、これに限ることはなく、突出部４３がなくてもよい。
【００２３】
また、防災シート４の巻回方向Ｒが幅方向Ｗと一致しているが、これに限ることはなく、適宜変更可能である。例えば、図７（ａ）に示すように、折り曲げられた防災シート４に対して、巻回方向Ｒが斜め上方に向けられていてもよい。すなわち、折り曲げられた防災シート４の幅方向Ｗの一端部のうち下方の隅部４３ａを、他端部の上方の隅部４３ｂに向けて螺旋状に巻回していく。これにより、最終的に折りたたまれた防災シート４は、図７（ｂ）に示すように、螺旋状に巻回されており、巻回された中心部が突出部４３となっている。この最終的に折りたたまれた防災シート４が中芯部２に挿入される。これにより、中芯部２から防災シート４を取り出すとき、中心部から螺旋状に引っ張り出されていくことにより、防災シート４を容易に引っ張り出すことができる。
【００２４】
また、中芯部２に入れられる防災用品として、防災シート４としているが、これに限ることはなく、防災用品の種類は適宜変更可能である。例えば、防災用品の例として、ラジオ、懐中電灯、乾電池、笛、非常食、飲料水、ライター、マッチ、ティッシュペーパー、ナイフ、スプーン、箸、コップ、手袋、下着、靴下、薬品、お金、タオル、ヘルメット、防災頭巾、筆記具、ノート、雨具、毛布、寝袋、ビニール袋、袋、リュックサック、生理用品等であってもよい。また、防災用品の例として、保険証・免許証・通帳等のコピーであってもよい。また、防災用品として、複数の物品の組み合わせであってもよい。例えば、防災シート４および懐中電灯の組み合わせであってもよいし、その他の組み合わせであってもよい。なお、懐中電灯の外周面に防災シート４を巻回した状態で、中芯部２に挿入してもよい。
また、防災シート４の使う場所、使い方、用途などは適宜変更可能である。例えば、床や地面の上に敷いたり、窓として塞いだりしてもよい。
【００２５】
既述の実施形態に関し、さらに以下の付記を示す。
（付記１）
筒状の中芯部と、
前記中芯部に巻かれた紙部と、
前記中芯部に設けられた防災用品と
を備えるトイレットペーパー。
【００２６】
（付記２）
前記紙部の外周部を覆う包装部を備え、
前記防災用品が、前記中芯部の端部よりも内方に設けられ、
前記包装部の一部が、前記中芯部の端部に入れられている付記１に記載のトイレットペーパー。
【００２７】
（付記３）
前記包装部の外周面に、前記中芯部に設けられた前記防災用品を示す指示部が設けられている付記２に記載のトイレットペーパー。
【００２８】
（付記４）
前記防災用品が防災シートであり、
前記防災シートが折りたたまれて前記中芯部に設けられており、
前記折りたたまれた防災シートの端部が、内側に折り返された折り返し部である付記１から付記３のいずれか一項に記載のトイレットペーパー。
【００２９】
（付記５）
前記防災用品が防災シートであり、
前記防災シートが巻回されて前記中芯部に設けられている付記１から付記４のいずれか一項に記載のトイレットペーパー。
【００３０】
（付記６）
前記防災シートが、螺旋状に巻回されている付記５に記載のトイレットペーパー。
【００３１】
（付記７）
前記防災シートの巻回された中心部が、外側に突出している突出部とされている付記５または付記６に記載のトイレットペーパー。
【符号の説明】
【００３２】
１，１ａ    トイレットペーパー
２    中芯部
３    紙部
４    防災シート（防災用品）
５    包装部
２２  端部
４１  折り返し部
４３  突出部
５２  指示部
【図１】
0003222357.tif 000003
【図２】
0003222357.tif 000004
【図３】
0003222357.tif 000005
【図４】
0003222357.tif 000006
【図５】
0003222357.tif 000007
【図６】
0003222357.tif 000008
【図７】
0003222357.tif 000009